(57)【特許請求の範囲】
【請求項１】
既設コンクリート床版の取替え位置に設置され、走行式の吊り装置によってプレキャスト床版を搬送し、前記取替え位置に前記プレキャスト床版を架設するプレキャスト床版架設機において、
前記取替え位置よりも前方に配置された第一前方支持脚、前記取替え位置よりも後方に配置された第一後方支持脚、および前記第一前方支持脚と前記第一後方支持脚との間に設けられ、前記吊り装置が走行する走行フレームを有する、一対の門型フレームと、
支持体伸縮ジャッキを有し、前記取替え位置よりも前方に配置され、幅方向に対向する一対の第二前方支持脚、および支持体伸縮ジャッキを有し、前記取替え位置よりも後方に配置され、幅方向に対向する一対の第二後方支持脚を有する、フレーム支持体と、を備え、
前記走行フレームは、下方から前記フレーム支持体によって支持され、
前記門型フレームの上下方向の長さと前記フレーム支持体の上下方向の長さとを相対的に変化させることによって、前記門型フレームまたは前記フレーム支持体を浮かせ、
前記門型フレームまたは前記フレーム支持体を前後方向に移動させる、
ことを特徴とするプレキャスト床版架設機。
【請求項２】
前記第二前方支持脚、および前記第二後方支持脚を幅方向に連設する幅方向フレームを有する、
ことを特徴とする請求項１に記載のプレキャスト床版架設機。
【請求項３】
前記第二前方支持脚、および前記第二後方支持脚を、前後方向に連設する前後方向フレームを有する、
ことを特徴とする請求項１又は請求項２に記載のプレキャスト床版架設機。
【請求項４】
前記第一前方支持脚および前記第一後方支持脚が、フレーム伸縮ジャッキを備えている、
ことを特徴とする請求項１から請求項３のいずれか１項に記載のプレキャスト床版架設機。
【請求項５】
前記第二前方支持脚、および前記第二後方支持脚に移動手段が設けられ、
前記移動手段によって、前記門型フレームを前後方向に移動させる、
ことを特徴とする請求項１から請求項４のいずれか１項に記載のプレキャスト床版架設機。
【請求項６】
前記フレーム支持体に懸垂部が形成され、
前記フレーム支持体が浮いたときに、前記懸垂部が前記走行フレームに懸垂する、
ことを特徴とする請求項１から請求項５のいずれかに記載のプレキャスト床版架設機。
【請求項７】
前記吊り装置は、片持ちクレーンである、
ことを特徴とする請求項１から請求項６のいずれか１項に記載のプレキャスト床版架設機。
【請求項８】
請求項４、又は請求項４を引用する請求項５から請求項７のいずれか１項に記載のプレキャスト床版架設機を移動させるためのプレキャスト床版架設機の移動方法であって、
前記フレーム伸縮ジャッキを伸長させ、前記支持体伸縮ジャッキを短縮させることにより、前記フレーム支持体を前記走行フレームに懸垂させ、前記第二前方支持脚および前記第二後方支持脚を前後方向の所定の位置まで移動させる工程と、
前記支持体伸縮ジャッキを伸長させ、前記フレーム伸縮ジャッキを短縮させ、
前記門型フレームを浮かせ、前記吊り装置を移動させながら荷重のバランスをとり、前記走行フレームを前後方向の所定の位置まで移動させる工程と、を含む、
ことを特徴とするプレキャスト床版架設機の移動方法。
【発明の詳細な説明】
【技術分野】
【０００１】
本発明は、劣化した鋼桁橋の既設コンクリート床版をプレキャスト床版に取り替える作業時に使用されるプレキャスト床版架設機、およびプレキャスト床版取替位置におけるプレキャスト床版架設機の移動方法に関するものである。
【背景技術】
【０００２】
鋼桁橋の既設コンクリート床版は、劣化によって亀裂が入る等の破損が生じることがあり、既設コンクリート床版は取り替える必要が生じる。このコンクリート床版の取り替えでは、既設コンクリート床版の切断、既設コンクリート床版の撤去で騒音が発生するため、取り替え工事期間が長くなると周辺環境への影響が問題となる。また、取り替え工事によって、橋梁の規制時間も増加するため、交通環境への影響が問題となる。
【０００３】
既設コンクリート床版の取り替えには、取り替え工事期間を短くするためにプレキャスト床版が使用され、この方法は工場など別の場所で製作したプレキャスト床版を取り替え位置に連続して敷設される。プレキャスト床版の取り替えには、例えば、自走式プレキャスト床版架設機が使用されている（特許文献１）。この自走式プレキャスト床版架設機は、４本の脚で保持される門型構造体と、この門型構造体の４本の脚を搭載する４台の（ゴムタイヤ又はクローラ等を有する）無軌条式走行装置を備えている。
この自走式プレキャスト床版架設機は、作業現場に輸送された後、無軌条式走行装置によって、所定位置まで自走され、使用される。
【先行技術文献】
【特許文献】
【０００４】
【特許文献１】特開２００４−３００６８８号
【発明の概要】
【発明が解決しようとする課題】
【０００５】
老朽化した既設コンクリート床版には、凹凸が形成され、段差部が生じている。
特許文献１の自走式プレキャスト床版架設機は、無軌条走行装置によって既設コンクリート床版の上を走行するため、この無軌条走行装置が段差部にひっかかり、段差部を乗り越えることができない。
また、既設コンクリート床版上に無軌条走行装置が走行するためのレールを設置することで、段差部に関係なく、移動する方法も考えられる。しかし、レールを利用する場合、レールの設置または撤去のための時間を要し、取り替え工事期間が長期化するという問題が生じる。
【０００６】
そこで、本発明は、既設床版に段差部が形成されていても、走行のためのレールを使用することなく、移動できるプレキャスト床版架設機を提供することを目的とする。
【課題を解決するための手段】
【０００７】
本発明は、コンクリート床版の取替え位置に設置され、走行式の吊り装置によってプレキャスト床版を搬送し、取替え位置にプレキャスト床版を架設するプレキャスト床版架設機であって、取替え位置よりも前方に配置された第一前方支持脚、取替え位置よりも後方に配置された第一後方支持脚、および第一前方支持脚と第一後方支持脚との間に設けられ、吊り装置が走行する走行フレームを有する、一対の門型フレームと、支持体伸縮ジャッキを有し、取替え位置よりも前方に配置され、幅方向に対向する一対の第二前方支持脚、および支持体伸縮ジャッキを有し、取替え位置よりも後方に配置され、幅方向に対向する一対の第二後方支持脚を有する、フレーム支持体と、を備え、走行フレームは、下方からフレーム支持体によって支持され、門型フレームの上下方向の長さとフレーム支持体の上下方向の長さとを相対的に変化させることによって、門型フレームまたはフレーム支持体を浮かせ、門型フレームまたはフレーム支持体を前後方向に移動させることを特徴とする。
【０００８】
本発明のプレキャスト床版架設機は、第二前方支持脚、および第二後方支持脚を幅方向に連設する幅方向フレームを有することを特徴とする。
【０００９】
本発明のプレキャスト床版架設機は、第二前方支持脚、および第二後方支持脚を、前後方向に連設する前後方向フレームを有することを特徴とする。
【００１０】
本発明のプレキャスト床版架設機は、第一前方支持脚および第一後方支持脚が、フレーム伸縮ジャッキを備えていることを特徴とする。
【００１１】
本発明のプレキャスト床版架設機は、第二前方支持脚、および第二後方支持脚に移動手段が設けられ、移動手段によって門型フレームを前後方向に移動させることを特徴とする。
【００１２】
本発明のプレキャスト床版架設機は、フレーム支持体に懸垂部が形成され、フレーム支持体が浮いたときに、懸垂部が走行フレームに懸垂することを特徴とする。
【００１３】
本発明のプレキャスト床版架設機は、吊り装置が片持ち状のクレーンであることを特徴とする。
【００１４】
また、本発明では、床版取替位置におけるプレキャスト床版架設機の移動方法をも提供する。このプレキャスト床版架設機の床版取替位置における移動方法は、床版取替位置におけるプレキャスト床版架設機の移動方法であって、フレーム伸縮ジャッキを伸長させ、支持体伸縮ジャッキを短縮させることにより、フレーム支持体を走行フレームに懸垂させ、第二前方支持脚および第二後方支持脚を前後方向の所定の位置まで移動させる工程と、支持体伸縮ジャッキを伸長させ、フレーム伸縮ジャッキを縮め、門型フレームを浮かせ、走行式吊り装置を移動させながら荷重のバランスをとり、走行フレームを前後方向の所定の位置まで移動させる工程とを含むことを特徴とする。
【発明の効果】
【００１５】
本発明のプレキャスト床版架設機は、門型フレームの上下方向の長さとフレーム支持体の上下方向の長さとを相対的に変化させることによって、門型フレームまたはフレーム支持体を浮かせ、門型フレームまたはフレーム支持体を前後方向に移動させることができる。そのため、本発明のプレキャスト床版架設機は、既設コンクリート床版に形成されている段差部を乗り越えることができる。
また、本発明のプレキャスト床版架設機は、レールを利用することなく移動させることができるため、レールの設置または撤去のための時間を要せず、取り替え工事期間を短縮できる。
【００１６】
また、本発明のプレキャスト床版架設機は、第二前方支持脚、および第二後方支持脚を幅方向に連設する幅方向フレームを有するため、第二前方支持脚同士、第二支持脚同士を連動して移動させることができる。さらに、本発明のプレキャスト床版架設機は、第二前方支持脚、および第二後方支持脚を、前後方向に連設する前後方向フレームを有するため、第二前方支持脚と第二後方支持脚を前後方向に連動して移動させることができる。
【００１７】
本発明のプレキャスト床版架設機は、第二前方支持脚、および第二後方支持脚に移動手段が設けられているため、門型フレームを前後方向に容易に移動させることができる。
また、本発明のプレキャスト床版架設機は、フレーム支持体が浮いたときに、走行フレームに懸垂する懸垂部がフレーム支持体に設けられている。そのため、フレーム支持体を走行フレームに吊り下げることができ、前後方向に移動させることができる。
本発明のプレキャスト床版架設機は、片持ち状のクレーンを使用することができる。橋梁の下側にスペースがある場合、片持ちクレーンを使用して、分割したブロックをそのスペースに撤去できる。また、下側のスペースに仮置きしたプレキャスト床版を、橋面に運搬することなく直接架設することも可能となる。
【図面の簡単な説明】
【００１８】
【図１】本発明の実施形態に係るプレキャスト床版架設機の斜視図（鳥瞰図）ある。
【図２】本発明の実施形態に係るプレキャスト床版架設機によって、既設コンクリート床版の張出部のブロックを撤去するときの説明図である。（ａ）側面図、（ｂ）搬出要領図
【図３】本発明の実施形態に係るプレキャスト床版架設機を設置した後、既設床版引き剥がし装置を取りつけたときの説明図である。（ａ）床版引き剥がし位置の断面図、（ｂ）運搬車の積み込み位置の断面図
【図４】本発明の実施形態に係るプレキャスト床版架設機を既設コンクリート床版の取替え位置に設置した後、既設床版引き剥がし装置を取りつけたときの側面図
【図５】本発明の実施形態に係るプレキャスト床版架設機がプレキャスト床版を架設するときの説明図である。（ａ）プレキャスト床版運搬時の側面図、（ｂ）プレキャスト床版運搬時の断面図
【図６】本発明の実施形態に係るプレキャスト床版架設機によってプレキャスト床版を据え付ける状態に回転させた後の側面図である。
【図７】本発明の実施形態に係るプレキャスト床版架設機で運搬したプレキャスト床版の回転要領を示す断面図である。
【図８】本発明の実施形態に係るプレキャスト床版架設機のフレーム支持体を移動させるための手順を示す側面図である。
【図９】本発明の実施形態に係るプレキャスト床版架設機のフレーム支持体を移動させるための手順を示す側面図である。
【図１０】本発明の実施形態に係るプレキャスト床版架設機のフレーム移動装置によってフレーム支持体を移動させるための手順を示す側面図である。
【図１１】本発明の実施形態に係るプレキャスト床版架設機の門型フレームの移動の手順を示す側面図である。
【図１２】本発明の実施形態に係るプレキャスト床版架設機のフレーム移動装置によって門型フレームを移動させるための手順を示す側面図である。
【図１３】本発明の実施形態に係るプレキャスト床版架設機の門型フレームの移動した後に微調整する手順を示す側面図である。
【図１４】本発明の実施形態に係るプレキャスト床版架設機に支柱部材を設けたときの側面図である。
【図１５】本発明の実施形態に係るプレキャスト床版架設機の伸縮式テントを伸長させたときの側面図である。
【図１６】本発明の実施形態に係るプレキャスト床版架設機において、走行式の吊り装置として片持ち型クレーン使用したときの詳細な説明図である。
【図１７】本発明の実施形態に係るプレキャスト床版架設機において、フレーム支持体の第二前方支持脚と第二後方支持脚がそれぞれ独立し、走行式の吊り装置として片持ち型クレーン使用した場合の説明図である。
【図１８】本発明の実施形態に係るプレキャスト床版架設機を平面線形の影響に対応するための方法を説明するための図である。
【発明を実施するための形態】
【００１９】
本実施形態に係るプレキャスト床版架設機１は、劣化が進行した鋼桁橋の既設コンクリート床版６を新しいプレキャスト床版５に取り替える作業で使用するものである。
以下、本実施形態に係るプレキャスト床版架設機１（以下、架設機１と記す）を、図１および図２を参照し、説明する。
なお、図面上、架設機１が移動する方向を前後方向Ｘ、前後方向と交差する方向を幅方向Ｙとする。
【００２０】
架設機１は、図１に示すように、既設コンクリート床版６をプレキャスト床版５に取り替える位置（以下、取替え位置Ａと記す。）を跨いで設置された一対の門型フレーム２と、この門型フレーム２を下方から支持するフレーム支持体３と、門型フレーム２の上を走行する走行式の吊り装置としてのクレーン４とを備えている。
【００２１】
［門型フレーム２］
門型フレーム２は、取替え位置Ａよりも前方に配置された第一前方支持脚１０と、取替え位置Ａよりも後方に配置された第一後方支持脚１１と、第一前方支持脚１０と第一後方支持脚１１との間に設けられた走行フレーム１２を備え、一体として形成している。
門型フレーム２は２つ設けられ、幅方向Ｙに対向して配置されている。
第一前方支持脚１０および第一後方支持脚１１の底部には、フレーム伸縮ジャッキとしての第一油圧ジャッキ１３がそれぞれ設けられている。門型フレーム２は、この第一油圧ジャッキ１３を介して、取替え位置Ａの前後に設置されている。
走行フレーム１２の上面には、レールが設置されており、クレーン４はこのレール上を走行する。また、走行フレーム１２の側壁には、前後方向Ｘに連なる溝（図示しない）が形成されている。
走行フレーム１２の上部には、図２（ａ）に示すように、クレーン逸脱防止装置１８および伸縮式テント１９が設けられている。
なお、門型フレーム２を構成する第一前方支持脚１０、第一後方支持脚１１、および走行フレーム１２は、別体で形成されていてもよい。
【００２２】
［フレーム支持体３］
フレーム支持体３は、下方から走行フレーム２を支持し、門型フレーム２を浮かせるために使用される。
フレーム支持体３は、取替え位置Ａよりも前方に配置される一対の第二前方支持脚２０と、取替え位置Ａよりも後方に配置される一対の第二後方支持脚２１と、第二前方支持脚２０同士および第二後方支持脚２１同士を幅方向に連設する幅方向フレーム２２と、第二前方支持脚２０と第二後方支持脚２１を前後方向に連設する前後方向フレーム２３を備えている（図１）。
第二前方支持脚２０および第二後方支持脚２１は、棒状の部材であり、それらの底部には、支持体伸縮ジャッキとしての第二油圧ジャッキ２４がそれぞれ設けられている。
第二前方支持脚２０は、第一前方支持脚１０よりも取替え位置Ａ側に配置され、第二後方支持脚２１も、第一後方支持脚１１よりも取替え位置Ａ側に配置されている。
第二前方支持脚２０および第二後方支持脚２１は、プレキャスト床版５の壁高欄が前後方向フレーム２３に接触しない長さに設計されている。
【００２３】
前後方向フレーム２３は、前後方向Ｘに対向する第二前方支持脚２０と第二後方支持脚２１とを連結し、走行フレーム１２を支持するためのものである。
前後方向フレーム２３には、懸垂部としての懸垂装置２５が複数設けられている。この懸垂装置２５は、複数のローラを備え、走行フレーム１２の側壁を挟み込んでいる。このローラは、走行フレーム１２の側壁の溝を前後方向Ｘに移動する。なお、懸垂装置２５は、第二前方支持脚２０および第二後方支持脚２１に直接設けることもできる。懸垂装置２５は、駆動装置を備えたものを想定しているが、駆動装置を備えないものでも施工することができる。
前後方向フレーム２３は、プレキャスト床版５の長さよりも長く設計されている。
幅方向フレーム２２は、門型フレーム２間の幅よりも長く設計されている。そのため、幅方向フレーム２２の先端は、第二前方支持脚２０および第二後方支持脚２１よりも、外側にそれぞれ張り出している。
また、第二前方支持脚２０および第二後方支持脚２１の上部には、図２（ｂ）に示すように、移動手段としてのローラ２６が設けられている。このローラ２６は、走行フレーム１２の底面と接触している。ローラ２６は、駆動装置を備えたものを想定しているが、駆動装置を備えないものでも施工することができる。
【００２４】
［クレーン４］
クレーン４は、既設コンクリート床版６を運搬車７まで搬送したり、プレキャスト床版５を取替え位置Ａまで運搬する。
このクレーン４には、門型クレーンを使用することができる。クレーン４には、ローラ３０が４つ設けられており、これらのローラ３０が走行フレーム１２上のレールに沿って移動することによって、クレーン４は門型フレーム２の上を前後方向Ｘに移動する。
また、各ローラ３０には、ストッパが設けられている。このストッパによって、クレーン４を走行フレーム１２上の任意の位置で固定される。
【００２５】
次に、本実施形態に係る架設機１のプレキャスト床版５の架設操作について、図３から図１５を参照して、説明する。
まず、取替え位置Ａの既設コンクリート床版６をコンクリートカッタ等で運搬可能な大きさのブロック９に切断し、それと同時に、床版引き剥がし装置８を設置するためにコアドリル等で削孔する。そして、図３（ａ）に示すように、床版引き剥がし装置８を設置する。そして、床版引き剥がし装置８によって、既設コンクリート床版６を引き剥がす。
なお、床版引き剥がし装置８を使用できない場合、鋼桁の直上を残すようにコンクリートカッターで切断することができる。
それから、図３（ｂ）および図４に示すように、床版引き剥がし装置８で引き剥がしたブロックをクレーン４に吊り下げ、クレーン４を後方に移動させ、運搬車７まで搬送する。
【００２６】
既設コンクリート床版６の撤去後は、図５（ａ）に示すように、運搬車７に積み込んであるプレキャスト床版５を、長手方向が前後方向Ｘとなるように、門型フレーム２よりも高い位置でクレーン４に吊り下げ、取替え位置Ａまで運搬する。
プレキャスト床版５を取替え位置Ａまで運搬した後、図６に示すように、プレキャスト床版５を前後方向フレーム２３よりも低い位置まで下降させる。そして、プレキャスト床版５を、図７に示すように、水平方向に約９０度、ゆっくり回転させた後、さらに下降させ、プレキャスト床版５を目的の位置に据え付ける。
この架設操作を繰り返し、取替え位置Ａに複数のプレキャスト床版５を据え付ける。
【００２７】
次に、架設機１を次の取替え位置Ａに移動する操作（移動方法）について説明する。
まず、図８に示すように、ストッパによって、ローラ３０を走行フレーム１２に固定させ、クレーン４を、プレキャスト床版５が設置された位置で門型フレーム２に固定する。それから、第二油圧ジャッキ２４の油圧を抜き、第二油圧ジャッキ２４を解放する。そうすると、フレーム支持体３の上下方向の長さが短くなり、第一油圧ジャッキ１３が接地面から浮き、懸垂装置２５が走行フレーム１２に懸垂し、フレーム支持体３が門型フレーム２に懸垂する。
そして、図９に示すように、懸垂装置２５を走行させ、フレーム支持体３を後方に移動させ、次の取替え位置Ａ（施行区間）まで移動させる。移動後、フレーム支持体３が走行フレーム１２を支持する高さまで第二油圧ジャッキ２４を加圧する。
また、懸垂装置２５に駆動装置を設けない場合、図１０に示すように、フレーム移動装置２７を調節することで、フレーム支持体３を後方向に移動させる。
そして、図１１（ａ）に示すように、さらに第二油圧ジャッキ２４を加圧し、第一前方支持脚１０および第一後方支持脚１１（第一油圧ジャッキ１３）を浮かせる。
【００２８】
第一前方支持脚１０および第一後方支持脚１１が浮いた状態で、ローラ２６を走行させ、門型フレーム２を後方に移動させる。この際、クレーン４は、走行フレーム１２にストッパーで固定されているため、門型フレーム２と一緒に移動する。
門型フレーム２を移動させると、重心位置は後方に移動し、門型フレーム２が転倒するおそれがあるため、図１１（ｂ）に示すように、クレーン４を適宜前方に移動させながら、門型フレーム２を移動させる。この門型フレーム２とクレーン４の移動作業は、安全面の観点から別々に行うことが望ましい。
また、ローラ２６に駆動装置を設けない場合、図１２に示すようなフレーム移動装置２７を調節することで、門型フレーム２を後方向に移動させる。
【００２９】
門型フレーム２を所定の位置に移動させたら、第一油圧ジャッキ１３を加圧する。
この際、図１３に示すように、走行フレーム１２が水平となるように、第一油圧ジャッキ１３、第二油圧ジャッキ２４の高さを調節する。第二油圧ジャッキ２４を調節し、フレーム支持体３が門型フレーム２を適切に支持するまで、第二油圧ジャッキ２４の油圧を調節し、高さを合わせる。
この作業の際や撤去するコンクリート床版の形状、新たに架設するプレキャスト床版５の形状によっては、フレーム支持体３に一時的に大きな荷重がかかる場合があるため、図１４に示すように、走行フレーム１２とフレーム支持体３の間に支持部材として楔材を配置したり、走行フレーム１２と既設コンクリート床版６の間に支持部材として支柱部材３６を設けることもできる。なお、これらの支持部材は、複数設けることもできる。
【００３０】
また、既設コンクリート床版６を撤去後にアンカー筋や錆の除去等の鋼桁清掃を行ったり、降雨により作業が中断することがある。その場合、図１５に示すように、取り替え位置Ａを覆うように、伸縮式テント１９を後方に伸長させる。
【００３１】
本実施形態に係る架設機１の効果について説明する。
架設機１は、第一油圧ジャッキ１３または第二油圧ジャッキ２４の油圧を調整することにより、門型フレーム２の上下方向の長さとフレーム支持体３の上下方向の長さとを相対的に変化させることによって、門型フレーム２またはフレーム支持体３を浮かせ、所定の位置まで容易に移動させることができる。
そのため、既設コンクリート床版６に凹凸や溝が形成されている場合でも、門型フレーム２またはフレーム支持体３を、それらの凹凸や溝の上を通過させることができる。
したがって、架設機１は、既設コンクリート床版６の凹凸や溝を回避して、適切な位置まで移動させることができる。
また、走行フレーム１２とフレーム支持体３の間に設けられたローラ２６によって、門型フレーム２またはフレーム支持体３を移動させることができるため、門型フレーム２およびフレーム支持体３の移動が容易にできる。
したがって、架設機１の移動を短時間で行うことができ、既設コンクリート床版６の取り替え工事の期間を短縮することができる。
【００３２】
架設機１は、第一油圧ジャッキ１３の油圧を調節することで、第一前方支持脚１０および第一後方支持脚１１の長さを調節できる。また、第二油圧ジャッキ２４の油圧調節することで、走行フレーム１２を支持するフレーム支持体３の第二前方支持脚２０および第二後方支持脚２１の長さを調節できる。そのため、走行フレーム１２の高さを水平に維持でき、前方のプレキャスト床版５と後方の既設コンクリート床版６の高さが異なる場合でも、クレーン４を円滑に前後方向Ｘに移動させることができる。
【００３３】
また、架設機１の前後方向フレーム２３は、第二前方支持脚２０と第二後方支持脚２１を連結する。そのため、フレーム支持体３を移動させるときに、第二前方支持脚２０と第二後方支持脚２１を連動して前後方向に移動させることができる。
【００３４】
また、懸垂装置２５は、第二油圧ジャッキ２４を縮めたときに、走行フレーム１２に吊り下がるため、フレーム支持体３を走行フレーム１２に懸垂させ、浮かすことができる。フレーム支持体３を浮かすことができるため、フレーム支持体３を走行フレーム１２に沿って前後方向Ｘに容易に移動させることができる。
【００３５】
また、架設機１は、伸縮式テント１９を備え、自在に伸縮することができる。そのため、清掃の際、粉塵が周囲に飛散すること防止でき、また、雨が降った際にも取替え位置Ａ付近の作業ができる。
【００３６】
架設機１を構成する門型フレーム２およびフレーム支持体３は、直線状の部材の組み合わせによる構造であるため、複雑な構造を有する部材よりも、容易に製造でき、または組み立てることができる。
【００３７】
次に、橋梁の下側が利用できる場合の架設機１の架設操作について説明する。図１６は、架設機１をより詳細に図示したものである。
橋梁の下側の空間が利用でき場合、吊り装置として、片持ち型クレーン４０を使用する。この片持ち型クレーン４０は、図１６に示すように、走行フレーム１２上を走行する基部４１と、この基部４１から上方向に延びるフレーム部材４２と、このフレーム部材４２の上部に配置された片持ち部４３と、片持ち部４３に設けられたフック４４を備えている。
片持ち部４３は、門型フレーム２の外側まで延びる板状の部材であり、フック４４は、片持ち部４３の幅方向に移動することができる。
【００３８】
この片持ち型クレーン４０を使用する場合の架設機１の移動操作は、ブロック９の運搬以外は、上記したクレーン４を使用する場合と同様である。
先ず、門型フレーム２とフレーム支持体３を取替え位置Ａに設置し、片持ち型クレーン４０を取替え位置Ａまで移動させる。そして、既設プレキャスト床版６をブロック９に分割する。次に、フック４４にブロック９を吊り下げ、フック４４を門型フレーム２の外側まで移動させる。そして、フック４４を下降させ、橋梁の下側にブロック９を撤去する。
【００３９】
橋梁の下側が利用できる場合、架設機１に片持ち型クレーン４０を使用することにより、門型クレーム２の外側で荷降ろしが可能となる。そうすると、ブロック９等を運搬車７まで何度も搬送しなくてもよく、短時間でプレキャスト床版５を取り替えることができる。
また、下側のスペースに仮置きしたプレキャスト床版５を、橋面に運搬することなく、取替え位置Ａに直接架設することもできる。
【００４０】
図１７は、第二前方支持脚２０および第二後方支持脚２１がそれぞれ独立したフレーム支持体３を有する架設機１を詳細に示したものである。
この第二前方支持脚２０は、２つの懸垂装置２５を備え、懸垂装置２５の間に移動手段２６が設けられている。また、第二前方支持脚２０には、第二油圧ジャッキ２４が前後方向Ｘに２つ設けられている（図１７（ｂ））。第二後方支持脚２１も第二前方支持脚２０と同様な構造を有している。
第二前方支持脚２０および第二後方支持脚２１をこのような形状とすると、支持脚全体の大きさが大きくなり重量が増加するが、幅方向フレーム２２や前後方向フレーム２３は不要となる。また、１つの支持脚に第二油圧ジャッキ２４が２つ設けられているため、フレーム支持体３は、走行フレーム２を安定して支持することができる。第二後方支持脚２０および第二前方支持脚２１の形状や各フレームの要否は工事の条件により適切に選定することができる。
【００４１】
これまで、直線状の既設コンクリート床版６を取り替える操作について説明したが、門型フレーム２とフレーム支持体３の長さが異なるため、曲率を有する既設コンクリート床版６を取り替える場合に対処が必要となる。
この場合、図１８に示すように、門型フレーム２は、一方の走行フレーム１２を幅方向フレーム２２の張り出し部分にずらし、もう一方の走行フレーム１２を幅方向フレーム２２側にずらして配置する。
そうすることで、曲率を有する既設コンクリート床版６を取り替える場合にも、架設機１を使用することができる。
【００４２】
以上、本実施形態について説明したが、これ以外にも、本発明の主旨を逸脱しない限り、上記実施の形態で挙げた構成を取捨選択したり、他の構成に適宜変更することが可能である。
例えば、本実施形態では、フレーム支持体３は、第二前方支持脚２０および第二後方支持脚２１の長さを調節できるものであればよい。そのため、前後方向フレーム２３および幅方向フレーム２２を備えていない場合でも、門型フレーム２を浮かし、前後方向Ｘに移動させることができる。また、走行フレーム１２は、ローラ３０を設けない場合でも、例えば、接触面の摩擦が小さいテフロン（登録商標）板を配置し、滑らせながら移動させることもできる。
また、本実施形態では、門型フレーム２に第一油圧ジャッキ１３を設けた例を示したが、この第一油圧ジャッキ１３を設けていない場合でも、第二油圧ジャッキ２４の高さを調節することで、門型フレーム２の上下方向の長さとフレーム支持体３の上下方向の長さとを相対的に変化させ、門型フレーム２またはフレーム支持体３を浮かせることができる。
さらに、クレーン４は、本実施形態で示したものに限定されず、走行フレーム１２上を移動できるものであれば、クレーン４の形状は限定されない。
【符号の説明】
【００４３】
１      プレキャスト床版架設機（架設機）
２      門型フレーム
３      フレーム支持体
４      クレーン（走行式の吊り装置）
５      プレキャスト床版
６      既設コンクリート床版
７      運搬車
８      床版引き剥がし装置
９      ブロック
１０    第一前方支持脚
１１    第一後方支持脚
１２    走行フレーム
１３    第一油圧ジャッキ（フレーム伸縮ジャッキ）
１８    クレーン逸脱防止装置
１９    伸縮式テント
２０    第二前方支持脚
２１    第二後方支持脚
２２    幅方向フレーム
２３    前後方向フレーム
２４    第二油圧ジャッキ（支持体伸縮ジャッキ）
２５    懸垂装置（懸垂部）
２６    ローラ（移動手段）
２７    移動装置
３０    ローラ
３６    支柱部材
４０    片持ち型クレーン
４１    基部
４２    フレーム部材
４３    片持ち部
４４    フック
Ａ      取替え位置
Ｘ      前後方向
Ｙ      幅方向
【図１】
0006722519.tif 000002
【図２】
0006722519.tif 000003
【図３】
0006722519.tif 000004
【図４】
0006722519.tif 000005
【図５】
0006722519.tif 000006
【図６】
0006722519.tif 000007
【図７】
0006722519.tif 000008
【図８】
0006722519.tif 000009
【図９】
0006722519.tif 000010
【図１０】
0006722519.tif 000011
【図１１】
0006722519.tif 000012
【図１２】
0006722519.tif 000013
【図１３】
0006722519.tif 000014
【図１４】
0006722519.tif 000015
【図１５】
0006722519.tif 000016
【図１６】
0006722519.tif 000017
【図１７】
0006722519.tif 000018
【図１８】
0006722519.tif 000019